(57)【要約】【課題】  カメラの固有情報の更新がされた際に、この更新されたカメラの固有情報を容易に、かつ確実に取得できるようにする。【解決手段】  クレードル装置１０の制御部１１において、Ｗｅｂサイト４０に記憶されているカメラ３０の固有情報の更新を検出し、当該固有情報の更新を検出した際に、Ｗｅｂサイト４０から更新された固有情報を取得してカメラ固有情報記憶部１３に記憶するとともに、当該カメラ３０の固有情報が更新されたことを表示部１４に表示してユーザに報知するようにする。【選択図】  図１
2006345441.tif 000002
【特許請求の範囲】
【請求項１】
カメラと、当該カメラの固有情報を記憶する情報記憶装置とに接続可能に構成されたクレードル装置であって、
前記情報記憶装置に記憶されている前記カメラの固有情報の更新を検出する固有情報更新検出手段と、
前記固有情報更新検出手段で前記カメラの固有情報の更新が検出された際に、前記情報記憶装置から更新された固有情報を取得して記憶媒体に記憶する固有情報取得手段と、
前記固有情報更新検出手段で前記カメラの固有情報の更新が検出された際に、当該カメラの固有情報が更新されたことを報知する報知手段と
を有することを特徴とするクレードル装置。
【請求項２】
前記カメラが接続された際に、前記記憶媒体に記憶されている前記更新された固有情報を当該カメラに送信する送信手段を更に有することを特徴とする請求項１に記載のクレードル装置。
【請求項３】
接続されたカメラを識別するカメラ識別手段を更に有し、
前記送信手段は、前記カメラ識別手段で識別されたカメラに対応する前記更新された固有情報を当該カメラに送信することを特徴とする請求項２に記載のクレードル装置。
【請求項４】
前記情報記憶装置は、Ｗｅｂサイトであることを特徴とする請求項１〜３のいずれか１項に記載のクレードル装置。
【請求項５】
前記固有情報取得手段は、パーソナルコンピュータを介して前記Ｗｅｂサイトから前記更新された固有情報を取得することを特徴とする請求項４に記載のクレードル装置。
【請求項６】
前記固有情報取得手段は、前記Ｗｅｂサイトから直接、前記更新された固有情報を取得することを特徴とする請求項４に記載のクレードル装置。
【請求項７】
前記固有情報取得手段は、前記更新された固有情報のうち、選択された固有情報を取得することを特徴とする請求項１〜６のいずれか１項に記載のクレードル装置。
【請求項８】
前記報知手段は、前記カメラの固有情報が更新されたことを表示部に表示して前記報知を行うことを特徴とする請求項１〜７のいずれか１項に記載のクレードル装置。
【請求項９】
前記記憶媒体は、自装置から着脱可能に構成されているものであることを特徴とする請求項１〜８のいずれか１項に記載のクレードル装置。
【請求項１０】
カメラと、当該カメラの固有情報を記憶する情報記憶装置とに接続可能に構成されたクレードル装置に用いる制御方法であって、
前記情報記憶装置に記憶されている前記カメラの固有情報の更新を検出する固有情報更新検出ステップと、
前記固有情報更新検出ステップで前記カメラの固有情報の更新が検出された際に、前記情報記憶装置から更新された固有情報を取得して記憶媒体に記憶する固有情報取得ステップと、
前記固有情報更新検出ステップで前記カメラの固有情報の更新が検出された際に、当該カメラの固有情報が更新されたことを報知する報知ステップと
を有することを特徴とするクレードル装置の制御方法。
【請求項１１】
カメラと、当該カメラの固有情報を記憶する情報記憶装置とに接続可能に構成されたクレードル装置における処理をコンピュータに実行させるためのプログラムであって、
前記情報記憶装置に記憶されている前記カメラの固有情報の更新を検出する固有情報更新検出ステップと、
前記固有情報更新検出ステップで前記カメラの固有情報の更新が検出された際に、前記情報記憶装置から更新された固有情報を取得して記憶媒体に記憶する固有情報取得ステップと、
前記固有情報更新検出ステップで前記カメラの固有情報の更新が検出された際に、当該カメラの固有情報が更新されたことを報知する報知ステップと
をコンピュータに実行させるためのプログラム。
【請求項１２】
請求項１１に記載のプログラムをコンピュータに読み取り可能に記録したことを特徴とするコンピュータ読み取り可能な記録媒体。
【発明の詳細な説明】
【技術分野】
【０００１】
本発明は、カメラと、当該カメラの固有情報を記憶する情報記憶装置とに接続可能に構成されたクレードル装置、その制御方法、当該制御方法をコンピュータに実行させるためのプログラム及び当該プログラムをコンピュータに読み取り可能に記録するコンピュータ読み取り可能な記録媒体に関する。
【背景技術】
【０００２】
クレードル装置とは、カメラと接続し、カメラに対して電源の供給を行ったり、カメラの充電を行うものである（例えば、特許文献１を参照）。また、クレードル装置とパーソナルコンピュータ（以下、「ＰＣ」と呼ぶ）とを接続することにより、カメラ内の撮影画像データをＰＣに送信することができる。さらに、クレードル装置とテレビとを接続することにより、カメラ内の撮影画像データをテレビに送信し、画像表示を行うこともできる。
【０００３】
【特許文献１】特開２００２−２１８３００号公報
【発明の開示】
【発明が解決しようとする課題】
【０００４】
ところで、カメラのファームウェアをバージョンアップするためのバージョンアップデータは、所定のＷｅｂサイトからダウンロードすることができる。また、カメラの起動画面、シャッター音等のデータ（マイカメラデータともいう）も、所定のＷｅｂサイトからダウンロードすることができる。これらのデータは、カメラに固有の情報であるので、「カメラ固有情報」と呼ぶ。
【０００５】
しかしながら、従来のカメラシステムでは、(１)所定のＷｅｂサイトにアクセスする、(２)そのＷｅｂサイトからバージョンアップデータ等のカメラ固有情報を探し出す、(３)探し出したカメラ固有情報をＰＣにダウンロードする、(４)ダウンロードしたカメラ固有情報をカメラに設定する等の処理をユーザ自身が行わなければならず、不便であった。しかも、バージョンアップデータ等がいつ更新されるかわからないので、所定のＷｅｂサイトを何度もアクセスしなければならないという不便さもあった。さらに、未だカメラに設定していないカメラ固有情報をユーザ自身が記憶しておかなければならず、ユーザに与える負担が大きいという問題もあった。
【０００６】
本発明は前述の問題点にかんがみてなされたものであり、カメラ固有情報の更新がされた際に、この更新されたカメラ固有情報を容易に、かつ確実に取得できるようにすることを目的とする。
【課題を解決するための手段】
【０００７】
本発明のクレードル装置は、カメラと、当該カメラの固有情報を記憶する情報記憶装置とに接続可能に構成されたクレードル装置であって、前記情報記憶装置に記憶されている前記カメラの固有情報の更新を検出する固有情報更新検出手段と、前記固有情報更新検出手段で前記カメラの固有情報の更新が検出された際に、前記情報記憶装置から更新された固有情報を取得して記憶媒体に記憶する固有情報取得手段と、前記固有情報更新検出手段で前記カメラの固有情報の更新が検出された際に、当該カメラの固有情報が更新されたことを報知する報知手段とを有する。
【０００８】
本発明のクレードル装置の制御方法は、カメラと、当該カメラの固有情報を記憶する情報記憶装置とに接続可能に構成されたクレードル装置に用いる制御方法であって、前記情報記憶装置に記憶されている前記カメラの固有情報の更新を検出する固有情報更新検出ステップと、前記固有情報更新検出ステップで前記カメラの固有情報の更新が検出された際に、前記情報記憶装置から更新された固有情報を取得して記憶媒体に記憶する固有情報取得ステップと、前記固有情報更新検出ステップで前記カメラの固有情報の更新が検出された際に、当該カメラの固有情報が更新されたことを報知する報知ステップとを有する。
【０００９】
本発明のプログラムは、カメラと、当該カメラの固有情報を記憶する情報記憶装置とに接続可能に構成されたクレードル装置における処理をコンピュータに実行させるためのプログラムであって、前記情報記憶装置に記憶されている前記カメラの固有情報の更新を検出する固有情報更新検出ステップと、前記固有情報更新検出ステップで前記カメラの固有情報の更新が検出された際に、前記情報記憶装置から更新された固有情報を取得して記憶媒体に記憶する固有情報取得ステップと、前記固有情報更新検出ステップで前記カメラの固有情報の更新が検出された際に、当該カメラの固有情報が更新されたことを報知する報知ステップとをコンピュータに実行させる。
【００１０】
本発明のコンピュータ読み取り可能な記録媒体は、前記プログラムをコンピュータに読み取り可能に記録する。
【発明の効果】
【００１１】
本発明によれば、クレードル装置において、情報記憶装置（Ｗｅｂサイト等）に記憶されているカメラの固有情報の更新が検出された際に、情報記憶装置から更新された固有情報を取得して記憶媒体に記憶するとともに、当該カメラの固有情報が更新されたことを報知するようにしたので、ユーザ自らが情報記憶装置にアクセスしてカメラの固有情報の更新を確認することなく容易に更新された固有情報を取得することができるとともに、ユーザによるカメラの固有情報の更新の見落としを防止して確実に更新された固有情報を取得することができる。
【００１２】
また、本発明の他の特徴によれば、カメラが接続された際に、記憶媒体に記憶されている更新された固有情報を当該カメラに送信するようにしたので、カメラをＰＣに接続して更新された固有情報を取得するという手間を省くことができる。これにより、カメラへのカメラの固有情報の送信を効率的に行うことが可能となる。
【発明を実施するための最良の形態】
【００１３】
以下、図面を参照して本発明の実施形態の一例を説明する。
図１は、本発明の実施形態に係るクレードル装置を含むカメラシステムの概略構成図である。
図１において、Ｗｅｂサイト４０は、カメラ３０用のカメラ固有情報を記憶する情報記憶装置である。本実施形態では、カメラ３０のファームウェアをバージョンアップするためのバージョンアップデータ、カメラ３０に新しい機能を追加するためのコンピュータプログラム、カメラ３０に新製品に関する情報を広告するための広告データ、カメラ３０用のマイカメラデータ（起動画面、シャッター音等を含む）等がカメラ固有情報に含まれているものとする。
【００１４】
クレードル装置１０は、少なくとも制御部１１、ＰＣインターフェース１２、カメラ固有情報記憶部１３、表示部１４及びカメラインターフェース１５を有する。クレードル装置１０が有する機能の制御は、制御部１１が行う。本実施形態では、クレードル装置１０がＰＣ（パーソナルコンピュータ）２０を介してＷｅｂサイト４０にアクセスする機能を有する場合を説明する。
【００１５】
また、クレードル装置１０は、カメラ３０のバッテリを充電する機能を有する。従って、クレードル装置１０は「充電装置」と呼ぶこともできる。また、クレードル装置１０は、ＰＣ２０とカメラ３０とを接続する装置であるので、「接続装置」と呼ぶこともできる。
【００１６】
ＰＣ２０は、少なくともクレードルインターフェース２１を有する。また、ＰＣ２０は、Ｗｅｂサイト４０へのアクセスが可能に構成されている。カメラ３０は、少なくともクレードルインターフェース３１、操作部３２及び表示部３３を有する。なお、カメラ３０は、デジタルカメラとしての機能を有する装置であればよい。つまり、カメラ３０は、デジタルカメラ、デジタルビデオカメラ、デジタルカメラ付き携帯電話等の装置により構成することができる。
【００１７】
クレードル装置１０に対してＰＣ２０を接続した場合には、ＰＣ２０内のクレードルインターフェース２１とクレードル装置１０内のＰＣインターフェース１２とが接続される。この際、制御部１１は、ＰＣインターフェース１２にＰＣ２０が接続されたことを検出し、ＰＣ２０を介してＷｅｂサイト４０へのアクセスを行う。
【００１８】
そして、制御部１１は、Ｗｅｂサイト４０に記憶されているカメラ固有情報が更新された場合にこれを検出し、更新されたカメラ固有情報をＷｅｂサイト４０から取得し、これをカメラ固有情報記憶部１３に記憶する。更に、制御部１１は、Ｗｅｂサイト４０に記憶されているカメラ固有情報の更新を検出した際に、カメラ固有情報が更新されたことを表示部１４に表示してユーザに対して報知を行う。
【００１９】
クレードル装置１０に対してカメラ３０を接続した場合には、カメラ３０内のクレードルインターフェース３１とクレードル装置１０内のカメラインターフェース１５とが接続される。この際、制御部１１は、カメラインターフェース１５にカメラ３０が接続されたことを検出し、カメラ固有情報記憶部１３に記憶されている更新されたカメラ固有情報をカメラ３０に送信する。ここで、カメラ３０に更新されたカメラ固有情報を送信する際の操作は、カメラ３０の操作部３２及び表示部３３を使用する。
【００２０】
次に、図２及び図３を参照して、本実施形態に係るクレードル装置１０の動作について説明する。なお、本実施形態では、図２及び図３で説明する処理を、制御部１１で実行可能なコンピュータプログラムに従って制御するものとする。
【００２１】
図２は、本実施形態に係るクレードル装置１０において、ＰＣ２０が接続された際の処理動作を示すフローチャートである。
クレードル装置１０の電源がＯＮになると、まず、ステップＳ１０１では、クレードル装置１０の制御部１１において、ＰＣ２０が接続されているか否かを判断する（ステップＳ１０１）。この判断の結果、ＰＣ２０が接続されていない場合には、ＰＣ２０が接続されると判断されるまで、ステップＳ１０１で待機する。一方、ステップＳ１０１での判断の結果、ＰＣ２０が接続された場合には、ステップＳ１０２に進む。
【００２２】
ステップＳ１０２では、クレードル装置１０の制御部１１において、ＰＣ２０がＷｅｂ４０に接続可能であるか否かを判断する。この判断の結果、ＰＣ２０がＷｅｂ４０に接続可能でない場合には、ステップＳ１０１に戻る。一方、ステップＳ１０２での判断の結果、ＰＣ２０がＷｅｂ４０に接続可能である場合には、ステップＳ１０３に進む。
【００２３】
ステップＳ１０３では、クレードル装置１０の制御部１１において、ＰＣ２０を介してＷｅｂサイト４０への接続処理を行う。このＷｅｂサイト４０には、カメラ３０用のカメラ固有情報が記憶されている。
【００２４】
続いて、ステップＳ１０４では、クレードル装置１０の制御部１１において、Ｗｅｂサイト４０に存在するカメラ固有情報のうち、以前にダウンロードしたことのないカメラ固有情報、即ち、更新されたカメラ固有情報があるか否かを判断する。この判断の結果、更新されたカメラ固有情報がない場合には、ステップＳ１０１に戻る。一方、ステップＳ１０４での判断の結果、更新されたカメラ固有情報がある場合には、ステップＳ１０５に進む。
【００２５】
ステップＳ１０５では、クレードル装置１０の制御部１１において、Ｗｅｂサイト４０からカメラ３０における更新されたカメラ固有情報を取得し、これをカメラ固有情報記憶部１３に記憶して、カメラ３０における更新されたカメラ固有情報のダウンロードを行う。ここで、ステップＳ１０５では、例えば、更新されたカメラ固有情報がファームウェアのバージョンアップデータであれば、新しいバージョンのファームウェアのダウンロードが行われる。また、例えば、更新されたカメラ固有情報がカメラ設定用データの追加情報であれば、新しいカメラ設定用データのダウンロードが行われる。
【００２６】
ステップＳ１０５で更新されたカメラ固有情報のダウンロードが終了すると、続いて、ステップＳ１０６では、クレードル装置１０の制御部１１において、更新されたカメラ固有情報のダウンロード履歴や、更新されたカメラ固有情報のタイトルリストを作成する。ダウンロード履歴は、Ｗｅｂサイト４０にアクセスし、ダウンロードしたことのないカメラ固有情報（更新されたカメラ固有情報）があるか否かを判断する際（ステップＳ１０４）に使用される。また、更新情報のタイトルリストは、ユーザが更新情報の一覧を確認する際に使用される。
【００２７】
続いて、ステップＳ１０７では、クレードル装置１０の制御部１１において、カメラ３０における更新されたカメラ固有情報がある旨を表示部１４に表示して、ユーザに報知する。
【００２８】
続いて、ステップＳ１０８では、クレードル装置１０の制御部１１において、自装置の電源がＯＦＦされたか否かを判断する。この判断の結果、自装置の電源がＯＦＦされていない場合には、ステップＳ１０１に戻り、新たに更新されたカメラ固有情報の取得の処理動作を繰り返す。一方、ステップＳ１０８での判断の結果、自装置の電源がＯＦＦされた場合には、当該処理動作を終了する。
【００２９】
ステップＳ１０１〜ステップＳ１０８の処理を経ることにより、クレードル装置１０は、ＰＣ２０を介してＷｅｂサイト４０から自動的にカメラ３０における更新されたカメラ固有情報をダウンロードし、これをカメラ固有情報記憶部１３に記憶して取得することができる。このカメラ固有情報記憶部１３に記憶したカメラ３０における更新されたカメラ固有情報は、クレードル装置１０にカメラ３０が接続された際に、カメラ３０に送信する。
【００３０】
図３は、本実施形態に係るクレードル装置１０において、カメラ３０が接続された際の処理動作を示すフローチャートである。
クレードル装置１０の電源がＯＮになると、まず、ステップＳ２０１では、クレードル装置１０の制御部１１において、カメラ３０が接続されているか否かを判断する。この判断の結果、カメラ３０が接続されていない場合には、カメラ３０が接続されると判断されるまで、ステップＳ２０１で待機する。一方、ステップＳ２０１での判断の結果、カメラ３０が接続された場合には、ステップＳ２０２に進む。
【００３１】
ステップＳ２０２では、クレードル装置１０の制御部１１において、カメラ固有情報記憶部１３にカメラ３０における更新されたカメラ固有情報があるか否かを判断する。この判断の結果、カメラ固有情報記憶部１３にカメラ３０における更新されたカメラ固有情報がない場合には、ステップＳ２０１に戻る。一方、ステップＳ２０２での判断の結果、カメラ固有情報記憶部１３にカメラ３０における更新されたカメラ固有情報がある場合には、ステップＳ２０３に進む。
【００３２】
ステップＳ２０３では、クレードル装置１０の制御部１１において、カメラ３０に更新情報タイトルリストを送信する。ここで、送信された更新情報タイトルリストは、図４に示すように、カメラ３０の表示部３３に表示される。ここで、ユーザは、カメラ３０の操作部３２を操作し、クレードル装置１０のカメラ固有情報記憶部１３に記憶されている更新された各カメラ固有情報の確認を行う。
【００３３】
続いて、ステップＳ２０４では、クレードル装置１０の制御部１１において、カメラ３０からカメラ固有情報記憶部１３に記憶されている更新されたカメラ固有情報の送信が要求されたか否かを判断する。このステップＳ２０４では、図５の表示部３３に表示された更新情報タイトルリストにおいて、更新された各カメラ固有情報に対してユーザから送信が要求（「はい」が選択）されたか否かを判断する。ステップＳ２０４での判断の結果、カメラ３０から更新されたカメラ固有情報の送信が要求されなかった場合には、ステップＳ２０１に戻る。一方、ステップＳ２０４での判断の結果、カメラ３０から更新されたカメラ固有情報の送信が要求された場合には、ステップＳ２０５に進む。
【００３４】
ステップＳ２０５では、クレードル装置１０の制御部１１において、カメラ固有情報記憶部１３から指定された更新されたカメラ固有情報を読み出して、これをカメラ３０に送信する。
【００３５】
続いて、ステップＳ２０６では、クレードル装置１０の制御部１１において、更新情報タイトルリストからカメラ３０に送信した、更新されたカメラ固有情報に該当するタイトルを削除して、更新情報タイトルリストの更新を行う。
【００３６】
続いて、ステップＳ２０７では、クレードル装置１０の制御部１１において、自装置の電源がＯＦＦされたか否かを判断する。この判断の結果、自装置の電源がＯＦＦされていない場合には、ステップＳ２０１に戻り、新たに更新されたカメラ固有情報の送信の処理動作を繰り返す。一方、ステップＳ２０７での判断の結果、自装置の電源がＯＦＦされた場合には、当該処理動作を終了する。なお、クレードル装置１０の表示部１４の表示は、ユーザにより更新情報タイトルリスト内のすべての項目が確認された後に、その表示が終了する。
【００３７】
本実施形態に係るクレードル装置１０は、ＰＣ２０を介してＷｅｂサイト４０へのアクセスを行う形態であったが、本発明においてはこれに限定されるわけでなく、例えば、図６に示すクレードル装置１１０のように、ＰＣインターフェース１２に替えてネットワーク接続部１６を設けて、ＰＣ２０を介さずに直接、Ｗｅｂサイト４０にアクセスを行うようにした形態であってもよい。
【００３８】
また、本実施形態に係るクレードル装置１０では、Ｗｅｂサイト４０に記憶されている更新されたカメラ固有情報を全てダウンロードを行う形態であったが、本発明においてはこれに限定されるわけでなく、例えば、更新されたカメラ固有情報のタイトルリストのみ作成しておき、カメラ３０からの送信要求に応じて、Ｗｅｂサイトから指定された更新されたカメラ固有情報をダウンロードするようにした形態であってもよい。
【００３９】
本実施形態における表示部１４の表示は、例えば、ＬＥＤを用いて単に点灯もしくは点滅させるだけで更新されたカメラ固有情報があることを報知するものであってもよいし、また、文字や画像を表示させて更新されたカメラ固有情報があることを報知するものであってもよい。また、表示部１４が文字や画像を表示できるものであれば、ステップＳ２０３におけるカメラ３０への更新情報タイトルリストの送信を行わずに、表示部１４に更新情報タイトルリストの表示を行うようにしてもよい。
【００４０】
また、本実施形態に係るクレードル装置１０では、更新されたカメラ固有情報がある旨を表示部１４に表示してユーザに報知する形態（ステップＳ１０７）であったが、本発明においてはこれに限定されるわけでなく、例えば、カメラ固有情報が更新された際に、Ｅメールをカメラ３０に送信してユーザに報知するようにした形態であってもよい。
【００４１】
また、本実施形態に係るクレードル装置１０では、図１に示すようにカメラ固有情報記憶部１３がクレードル装置１０に内蔵されている形態であったが、本発明においてはこれに限定されるわけでなく、例えば、図７のクレードル装置１２０に示すように、カメラ固有情報記憶装置１３０としてクレードル装置１２０の外部に設け、クレードル装置１２０にカメラ固有情報記憶装置１３０を着脱可能に接続するための外部メモリインターフェースを有するようにした形態であってもよい。この場合、カメラ固有情報記憶装置１３０は、コンパクトフラッシュ（登録商標）やＳＤカードのようなクレードル装置１２０に対して着脱可能な記憶媒体を適用する。
【００４２】
また、本実施形態に係るクレードル装置１０の制御部１１において、更に、接続されるカメラを識別し、識別されたカメラに対応する更新されたカメラ固有情報を当該カメラに送信するようにした形態も本発明に含まれる。この場合、制御部１１は、更新情報タイトルリストを接続されるカメラごとに分けて作成する。例えば、同一のカメラ固有情報について、複数のカメラに対してデータの送信を行いたい場合については、制御部１１がカメラ３０を識別し、カメラ３０に対応する更新情報タイトルリストを表示するため、更新されたカメラ固有情報が送信済みのカメラの場合は、表示される更新情報タイトルリストから該当するカメラ固有情報が削除されているが、更新されたカメラ固有情報が未送信のカメラの場合は、更新情報タイトルリストに該当するカメラ固有情報が表示され、更新されたカメラ固有情報の送信が可能となる。
【００４３】
本実施形態によれば、クレードル装置１０において、Ｗｅｂサイト４０に記憶されているカメラ固有情報の更新が検出された際に、Ｗｅｂサイト４０から更新されたカメラ固有情報を取得してカメラ固有情報記憶部１３に記憶するとともに（ステップＳ１０５）、当該カメラ固有情報が更新されたことを表示部１４に表示してユーザに報知するようにしたので（ステップＳ１０７）、ユーザ自らがＷｅｂサイト４０にアクセスしてカメラ固有情報の更新を確認することなく容易に更新されたカメラ固有情報を取得することができるとともに、ユーザによるカメラ固有情報の更新の見落としを防止して確実に更新されたカメラ固有情報を取得することができる。
【００４４】
また、カメラ３０が接続された際に、カメラ固有情報記憶部１３に記憶されている更新されたカメラ固有情報を当該カメラに送信するようにしたので（ステップＳ２０５）、カメラ３０をＰＣ２０に接続して更新されたカメラ固有情報を取得するという手間を省くことができる。これにより、カメラ３０へのカメラ固有情報の送信を効率的に行うことが可能となる。
【００４５】
前述した本実施形態に係るクレードル装置を構成する図１、図６、図７の各手段、並びにクレードル装置の制御方法を示した図２、図３の各ステップは、コンピュータのＲＡＭやＲＯＭなどに記憶されたプログラムが動作することによって実現できる。このプログラム及び当該プログラムを記録したコンピュータ読み取り可能な記録媒体は本発明に含まれる。
【００４６】
具体的に、前記プログラムは、例えばＣＤ−ＲＯＭのような記録媒体に記録し、あるいは各種伝送媒体を介し、コンピュータに提供される。前記プログラムを記録する記録媒体としては、ＣＤ−ＲＯＭ以外に、フレキシブルディスク、ハードディスク、磁気テープ、光磁気ディスク、不揮発性メモリカード等を用いることができる。他方、前記プログラムの伝送媒体としては、プログラム情報を搬送波として伝搬させて供給するためのコンピュータネットワーク（ＬＡＮ、インターネットの等のＷＡＮ、無線通信ネットワーク等）システムにおける通信媒体（光ファイバ等の有線回線や無線回線等）を用いることができる。
【００４７】
また、コンピュータが供給されたプログラムを実行することにより本実施形態のクレードル装置の機能が実現されるだけでなく、そのプログラムがコンピュータにおいて稼働しているＯＳ（オペレーティングシステム）、あるいは他のアプリケーションソフト等と共同して本実施形態のクレードル装置の機能が実現される場合や、供給されたプログラムの処理の全て、あるいは一部がコンピュータの機能拡張ボードや機能拡張ユニットにより行われて本実施形態のクレードル装置の機能が実現される場合も、かかるプログラムは本発明に含まれる。
【図面の簡単な説明】
【００４８】
【図１】本発明の一実施形態に係るクレードル装置を含むシステムの概略構成図である。
【図２】本発明の一実施形態に係るクレードル装置において、ＰＣが接続された際の処理動作を示すフローチャートである。
【図３】本発明の一実施形態に係るクレードル装置において、カメラが接続された際の処理動作を示すフローチャートである。
【図４】カメラに表示された更新情報タイトルリストの表示例を示した図である。
【図５】カメラに表示された更新情報タイトルリストの表示例を示した図である。
【図６】本発明の一実施形態に係るクレードル装置の他の形態における概略構成図である。
【図７】本発明の一実施形態に係るクレードル装置のその他の形態における概略構成図である。
【符号の説明】
【００４９】
１０：クレードル装置
１１：制御部
１２：ＰＣインターフェース
１３：カメラ固有情報記憶部
１４：表示部
１５：カメラインターフェース
１６：ネットワーク接続部
１７：外部メモリインターフェース
２０：ＰＣ
２１：クレードルインターフェース
３０：カメラ
３１：クレードルインターフェース
３２：操作部
３３：表示部
４０：Ｗｅｂサイト
【図１】
2006345441.tif 000003
【図２】
2006345441.tif 000004
【図３】
2006345441.tif 000005
【図４】
2006345441.tif 000006
【図５】
2006345441.tif 000007
【図６】
2006345441.tif 000008
【図７】
2006345441.tif 000009